(57)【特許請求の範囲】
【請求項１】
木造軸組を構成する線材を接合する建築用の接合金物であって、
線材の長さ方向の端面間に挟まれてこれらの線材を接合すべく、上記の端面間に収まる立方体形状をなす外郭部を有するとともに、
該外郭部の６面には、上記端面を接合可能にする接合板を備え、
これら接合板に、上記線材を結合するための結合具を保持する保持部が形成され、
上記外郭部内に、上記接合板を相互に連結固定する内部連結部が形成され、
上記接合板のうちの上端と下端の２枚の接合板の間には、これらと平行な、上記内部連結部としての隔壁部が形成されるとともに、
該隔壁部に、上端の接合板および／または下端の接合板との間に介装される、上記内部連結部としての柱状部が形成された
建築用の接合金物。
【請求項２】
前記接合板またはその近傍に、前記結合具の固定操作を可能にするために内外に連通する操作口が形成された
請求項１に記載の建築用の接合金物。
【請求項３】
前記外郭部の下端面に、当該接合金物を接地面から浮かせるためのアジャスタを備えた
請求項１または請求項２に記載の建築用の接合金物。
【請求項４】
前記結合具と、前記線材に対して端面から挿入保持されて上記結合具と結合するコア材が付属された
請求項１から請求項３のうちのいずれか一項に記載の建築用の接合金物。
【発明の詳細な説明】
【技術分野】
【０００１】
この発明は、たとえば、一般住宅、ユニットハウス、バンガロー、社寺建築、簡易店舗、東屋、物置、倉庫、ガレージなどの木造軸組建築に用いるのに好適な接合金物に関する。
【背景技術】
【０００２】
木造軸組構法に用いられる接合金物としては、梁受け金物、柱脚金物など様々なものがあるが、これらは、軸組を構成する線材同士を接合するのに際してこれらを互いに直に接触した状態で接合するものである。つまり、線材は接合部分において縦方向または横方向で相互に重なった状態になっている。このような状態で線材が接合されるので、強固な固定状態が得られるものの、線材が腐食したりした場合に、線材を、接合部分から全体的に取り替えることができない。
【０００３】
このため、長期間にわたって使用できる建物とするのには難点がある。
【０００４】
この点、下記特許文献１のような、木造軸組系ユニットハウスが提案されている。
【０００５】
このユニットハウスは、ユニット本体の開口部に取り付ける間柱をドリフトピンで固定して、着脱可能にしたものである。
【特許文献１】特許第２８５６６２９号公報
【発明の開示】
【発明が解決しようとする課題】
【０００６】
しかし、間柱以外の柱と梁などの接合部分は一般的な接合金物を用いて固定されている。このため、間柱については取替えが可能であろうが、その他の部分については取替えができない。
【０００７】
また、ドリフトピンによる固定は、梁に一部を挿入したホゾパイプを用いるものであって、間柱と梁との間はホゾパイプと、部材同士の接触で支えられている。このため、特に水平力がかかったときにめり込みなどが発生しやすく、ホゾパイプのみに頼らなければならず、強度の面で難点がある。
【０００８】
そこで、この発明は、柱材等の線材の取替えが可能であるうえに、構造上、十分な強度を得ることができるようにすることを主たる目的とする。
【課題を解決するための手段】
【０００９】
そのための手段は、木造軸組を構成する線材を接合する建築用の接合金物であって、線材の長さ方向の端面間に挟まれてこれらの線材を接合すべく、上記の端面間に収まる立方体形状をなす外郭部を有するとともに、該外郭部の６面には、上記端面を接合可能にする接合板を備え、これら接合板に、上記線材を結合するための結合具を保持する保持部が形成され、上記外郭部内に、上記接合板を相互に連結固定する内部連結部が形成され、上記接合板のうちの上端と下端の２枚の接合板の間には、これらと平行な、上記内部連結部としての隔壁部が形成されるとともに、該隔壁部に、上端の接合板および／または下端の接合板との間に介装される、上記内部連結部としての柱状部が形成された建築用の接合金物である。
【００１０】
上記の外郭部は、線材の端面間に位置して、一つの線材の端面と、他の線材の側面とが重なり合わないようにして、複数本の線材の端面間の位置関係を保持する。使用箇所によって全周が囲繞される場合も、一部が露出する場合もある。
【００１１】
そして、外郭部に備えられた接合板に線材の端面が固定される。固定は、結合具とこれを保持する保持部で行われる。保持部は、結合具の種類に応じて、貫通孔、ねじ孔、フック状の係合構造などで形成される。
【００１２】
接合板は線材の端面を固定可能にするもので、接合板に対して端面を固定しなければならないわけではなく、上述のように一部が露出する場合には、そのままにしておいたり、目隠しやアジャスタなどの適宜の部材を固定したりすることもできる。
【００１３】
また、外郭部内には、接合板を外郭部内において相互に連結固定する内部連結部が形成されているので、内部連結部によって接合板が相互に連結されて外郭部の形態が保持されるとともに、内部連結部の形態によっては、結合具の固定がより強固に安定した状態で行える。
【発明の効果】
【００１４】
以上のように、この発明によれば、外郭部が線材の端面の間に介在した状態であるので、柱材等の線材の取替えが可能であるうえに、取替え作業も容易である。
【発明を実施するための最良の形態】
【００１５】
この発明を実施するための一形態を、以下図面を用いて説明する。  
図１は、建築用の接合金物１１（以下、「接合金物」という。）の基本構造を示す斜視図であり、図２は分解斜視図、図３は平面図と正面図と縦断面図である。この接合金物１１は、金属製で、木造軸組を構成する柱材や梁材、土台などの線材２１を接合するものである。線材２１は、長さ方向の端面２２が接合金物１１に突き合わせるように接合される。
【００１６】
このため、接合金物１１は、線材２１の端面間に収まる多面体立体形状をなす中空の箱状に形成された外郭部３１を有する。この外郭部３１は、線材２１の端面２２を接合可能にする複数の接合板３２を備える。接合板３２には、線材２１を結合するための結合具を保持する保持部が形成される。また、接合板３２を外郭部３１内において相互に連結固定する内部連結部４１が形成されている。
【００１７】
図１に例示した接合金物は、木造建築の柱脚部分、梁部分など、たてよこ同寸の線材２１を六方に接合し得る部分で使用できるようにすべく、６個の接合板３２…を有する立方体形状に形成されたものである。すなわち、上下２枚の接合板３２（３２ａ，３２ｂ）のほか、側面の４枚の接合板３２を備えている。これらの接合板３２…には、結合具（たとえばボルト５１（図２参照）。）を保持するための貫通孔３３が形成されるとともに、外郭部３１内には、隔壁部４２と柱状部４３とからなる内部連結部４１が形成されている。また、外郭部３１の平面視における四隅部分には、円弧状の切欠からなる操作口３４が形成される。この操作口３４は、上記のボルト５１を回したりするときに治具を入れる部分である。さらに、上端の接合板３２（３２ａ）とこれから先の部分に十字に形成された線は、接合金物１１を使用するときの向きを合わせるための基準線３５で、刻印、マーキング等の適宜の手段で形成されている。
【００１８】
このような接合金物１１は、たとえば図２に示したような各部材を溶接などにより相互に結合して製造される。図示例では、接合板３２…と隔壁板４２，４２は一枚の平板状の部材を示したが、たとえば板材を折り曲げた部材などを組み合わせることもできる。
【００１９】
上記の上端の接合板３２（上端接合板３２ａ）と、下端の接合板３２（下端接合板３２ｂ）、それに２枚の隔壁部４２，４２は、正方形の四隅が円弧状に切り欠かかれ、中央には締結具を通すための貫通孔３３，４４が形成されている。これらの貫通孔３３，４４のうち、上端接合板３２ａと下端接合板３２ｂの貫通孔３３には、雌ねじ３３ａが形成されている。
【００２０】
上記の側面の接合板３２…（側面接合板３２ｃ…）は、たて長の長方形に形成され、中央に貫通孔３３が形成されている。また、上記の柱状部４３は、上端接合板３２ａ、下端接合板３２ｂ、隔壁部４２，４２の貫通孔３３，４４よりも大径のパイプで形成され、上端接合板３２ａと上側の隔壁部４２との間と、下端接合板３２ｂと下側の隔壁部４２との間に介装される。
【００２１】
なお、図２に仮想線で示したボルト５１のように、外郭部３１を組み立てた後では組みつけられない部材がある場合には、組み立て段階において組みつけておく。
【００２２】
このように構成された接合金物１１は、図３に示したように、立方体形状の四隅部分の操作口３４を通して内外に連通した構造であって、外郭部３１の内部には、上下２枚の隔壁部４２と２個の柱状部４３とからなる内部連結部４１が形成されている。つまり、４枚の側面接合板３２ｃ…は２枚の隔壁部４２，４２で相互に連結されるとともに、これら隔壁部４２，４２と上下両端の上端接合板３２ａと下端接合板３２ｂが２個の柱状部４３，４３で連結されて、各部材が相互に高い一体性をもって結合される。この結果、上下左右の圧縮に強い構造となる。図３（ａ）は平面図、図３（ｂ）は正面図、図３（ｃ）は縦断面図である。
【００２３】
なお、図１、図２、図３では接合金物１１の基本構造を示しており、たとえば、貫通孔３３，４４に対する雌ねじの有無や、貫通孔３３，４４の大きさ、外郭部３１の縦横の長さ、ボルト５１の有無など、細部の構造については、使用箇所や使用目的等に応じて適宜設定される。
【００２４】
以下、接合金物１１を柱脚部に使用する例、梁部に使用する例、小屋組に使用する例、異形建築物に使用する例を順に説明する。
【００２５】
（柱脚部用の接合金物）  
図４は、柱脚部の接合金物１１部分の縦断面図、図５はその横断面図であり、これらの図に示すように、下端接合板３２ｂを除く５個の接合板３２…に、線材２１の端面２２が接合されている。この柱脚部用の接合金物１１は、接地面Ｘに置いて使用される設置型のものであるため、接合金物１１を接地面Ｘから浮かせるとともに水平を出すためのアジャスタ６１を備えている。すなわち、下端接合板３２ｂと下側の隔壁部４２における４枚の側面接合板３２ｃ…に近い部分に等間隔でアジャスタ６１…の雄ねじ部６１ａを螺合するねじ孔３６，４５が形成されている。
【００２６】
また、上端接合板３２ａと上側の隔壁部４２には、結合具としてのボルト５１が下から保持されている。同様に、各側面接合板３２ｃ…の貫通孔３３にも、結合具としてのボルト５１が保持される。そして、各側面接合板３２ｃ…に保持されるボルト５１…には、円柱状のコア材５２とドリフトピン５３によって、線材２１としての４本の土台２３…が固定される。コア材５は、長さ方向の一方に雌ねじ５２ａを有し、他方に、ドリフトピン５３を挿通する挿通孔５２ｂが形成された金属製のものである。
【００２７】
土台２３の接合は、コア材５２を挿入保持した土台２３を接合金物１１に近づけてボルト５１を回転して接合を行うほか、接合金物１１のボルト５１にコア材５２を螺合したのち、土台２３をコア材５２に挿嵌してドリフトピン５３で固定することで、接合を行うこともできる。ドリフトピン５３に代えて、ボルトナットを使用することもできる。
【００２８】
そして、図６に示したように、土台２３…を接合金物１１の四方に接合した後は、上端接合板３２ａから上に出るボルト５１に、コア材５２を螺合して、線材２１としての柱材２４を固定する。
【００２９】
接合金物１１が上述のように構成されて柱脚部の接合に用いられると、接合される４本の土台２３…の端面２２と１本の柱材２４の端面２２は、接合金物１１の外郭部３１を構成する接合板３２に突き当たった状態で固定される。このとき、土台２３と柱材２４の側面と端面２２とが面接触する、噛み合うような接合状態とはならず、端面２２の縁が当接するような接合となって、端面２２で囲まれる空間内に接合金物１１が埋没する状態となる。このため、線材２１の交換が容易に行え、長期間にわたって使用できる優良な建築物を得ることができる。
【００３０】
しかも、接合金物１１と土台２３…及び柱材２４の接合は、ボルト５１とコア材５２とドリフトピン５３とによる簡素な構造で接合でき、作業は簡単である。そのうえ、土台２２や柱材２４に対する加工も少なくて済み、欠損をなくすことができる。このため、面同士が密に接した強固な固定状態が得られる。
【００３１】
また、外郭部３１の内側には、内部連結部４１が形成されているので、縦横の荷重に耐え得る堅固な構造にでき、頑丈な建築物を得ることができる。
【００３２】
そして、この内部連結部４１の存在によって、柱材２４を固定するボルト５１とアジャスタ６１は、２枚の部材の貫通孔３３，４４に保持されることになり、ボルト５１やアジャスタ６１の固定状態は、安定性の高い強固なものとなる。
【００３３】
図７に示したように土台を三方に接合する部分では、外郭部３１のうちの１個の側面接合板３２ｃが露出することになるが、この場合には、露出する側面接合板３２ｃの外側を隠蔽するとよい。図７（ａ）に示したように、土台２３の端面２２と同一形状の板材７１を接合するほか、図７（ｂ）に示したように、逆Ｔ字形の補強金物７２の接合で隠蔽することもできる。補強金物７２を用いれば、この補強金物７２によっても土台２３と柱材２４の接合ができ、より強固な固定状態を得られる。また、板材７１や補強金物７２の固定に際して、必要であれば、図７（ａ）に示したように、側面接合板３２ｃに固定に適した取り付け孔３７，３７などの加工を施しておく。なお、側面接合板３２ｃは、図７（ａ）に示したように、土台２３の表面位置よりも板材７１の厚みに対応するぶん内側に後退させておくと、板材７１の表面を土台２３と面一にできるのでよい。
【００３４】
図８、図９、図１０は、他の例に係る柱脚用の接合金物１１の使用状態の縦断面図である。以下、これらについて説明するが、先の構成と同一または同等の部位については同一の符号を付して、その詳しい説明を省略する。
【００３５】
図８に示した接合金物１１は、上記と同様の構成であるが、柱材２４を接合するためのボルト５１を、下端接合板３２ｂの下から挿入保持した構造である。下端接合板３２ｂと各隔壁部４２，４２と上端接合板３２ａの貫通孔３３，３４は、ボルト５１を螺合可能にする雌ねじを有するも、有しないも、いずれでもよく、雌ねじを有する場合でも、一部の貫通孔３３，４４にのみ形成することもできる。
【００３６】
図中、仮想線で示した５４はナットであり、ボルト５１の固定状態を強固に保つ。
【００３７】
図９に示した接合金物１１は、内部連結部４１の構造を異にした例を示す。すなわち、内部連結部４１は、２枚の隔壁部４２，４２と、これらを貫いて上下に延びて上端接合板３２ａと下端接合板３２ｂを直に結合するパイプ状の柱状部４３とからなる。上端接合板３２ａと下端接合板３２ｂには、柱状部４３の内径よりも小径の貫通孔３３が形成されている。貫通孔３３は、雌ねじを有するものであるも、有しないものであるも、いずれでもよい。また、図示は省略するが、上端接合板３２ａの貫通孔３３部分を陥没させて、ナットを納める凹部を形成することもできる。
【００３８】
図１０に示した接合金物１１は、基礎Ｙに設けられたアンカーボルト５５に固定した例を示す。アンカーボルトＺに固定するため、上端接合板３２ａと下端接合板３２ｂと隔壁部４２，４２に形成される貫通孔３３には、雌ねじを形成しないほうが好ましい。また、アンカーボルトＺの位置の狂い・誤差を吸収するため、上端接合位置３２ａや下端接合板３２ｂに形成する貫通孔３３は、アンカーボルトＺを遊嵌するようなバカ穴であるとよい。
【００３９】
使用に当たっては、基礎Ｙの上に基礎パッキンＺを配設してから接合金物１１の貫通孔３３，４４をアンカーボルト５５に挿嵌して固定し、土台２３の接合と、柱材２４の接合を順に行う。なお、接合金物１１の固定に当たっては、図１０に仮想線で示したように、下側の隔壁部４２の上面と上側の隔壁部４２の下面に接するようにナット５４，５４を固定すれば、強固な固定状態が得られる。
【００４０】
（梁部用の接合金物）  
図１１は、梁部の接合金物１１部分の斜視図、図１２はその縦断面図であり、これらの図に示すように、６個すべての接合板３２…に、線材２１の端面２２が接合されている。この梁部用の接合金物１１は、図１、図２、図３に示した接合金物と同様に形成され、各接合板３２…の貫通孔３３には、結合具としてのボルト５１が保持されている。
【００４１】
柱脚部用の接合金物１１と異なり、アジャスタ６１が必要ないので、アジャスタ６１を固定するためのねじ孔４５（図４参照）は形成する必要はないが、ねじ孔があっても使用に支障はないので、柱脚部用としての接合金物１１を流用することもできる。
【００４２】
外郭部３１と内部連結部４１の基本的な構成は同一であるので、先の説明と同一又は同等の部位については同一の符号を付してその詳しい説明を省略する。
【００４３】
このような梁部用の接合金物１１は、まず、図１３に示したように、ボルト５１とコア材５２を利用して、線材２１としての柱材２４の上端の端面２２に下端接合板３２ｂが面接触するように接合する。そして次に、四方の側面接合板３２ｃ…に、梁材２５等の横架材を接合し、最後に、別の柱材２４を上端接合板３２ａの上に接合する。
【００４４】
なお、梁部用の接合金物１１が１階建ての建築物に用いられる場合や、複数階建ての建築物の上端部分に用いられる場合には、上端接合板３２ａにはボルト５１を保持せずに、図１４に示したような吊りボルト６２を取り付けると、ユニットハウスの場合に行われる吊り下げに便利である。もつとも、上端接合板３２ａにボルト５１を保持していても、吊りボルト６２と同様の機能を果たす部材を取り付けることはできる。
【００４５】
また、下端接合板３２ｂと上端接合板３２ａにそれぞれ保持した２本のボルト５１に代えて、図１５に示したように上下に突き抜ける１本のボルト５１を使用することもできる。この場合には、外郭部３１の内側でボルト５１を締める必要がないので、内部連結部４１としての柱状部４３を上端接合板３２ａから下端接合板３２ｂまで通して設けることができる。隔壁部４２，４２は、柱状部４３の外周面から４枚の側面接合板３２ｃ…に連結されている。
【００４６】
接合金物１１が上述のように構成されて梁部の接合に用いられると、接合される２本の柱材２４，２４の端面２２と、４本の梁材２５…の端面２２は、接合金物１１の外郭部３１を構成する接合板３２…に突き当たった状態で固定される。このとき、柱材２４，２４と梁材２５…の側面と端面２２とが面接触する、噛み合うような接合状態とはならず、端面２２の縁が当接するような接合となって、端面２２で囲まれる空間内に接合金物１１が埋没する状態となる。このため、線材２１の交換が容易に行え、長期間にわたって使用できる優良な建築物を得ることができる。
【００４７】
しかも、接合金物１１と柱材２４，２４及び梁材２５…の接合は、ボルト５１とコア材５２とドリフトピン５３とによる簡素な構造で接合でき、作業は簡単である。そのうえ、柱材２４，２４や梁材２５…に対する加工も少なくて済み、欠損をなくすことができる。このため、面同士が密に接した強固な固定状態が得られる。
【００４８】
また、外郭部３１の内側には、内部連結部４１が形成されているので、縦横の荷重に耐え得る堅固な構造にでき、頑丈な建築物を得ることができる。
【００４９】
そして、この内部連結部４１の存在によって、柱材２４を固定するボルト５１は、２枚の部材の貫通孔３３，４４に保持されることになり、ボルト５１の固定状態は、安定性の高い強固なものとなる。
【００５０】
図１６は、４個の側面接合板３２ｃ…のうちの１個の側面接合板３２ｃに対する梁材２５の固定構造の他の例を示し、図示例のような梁受け金物５６を利用する。この場合、側面接合板３２ｃの貫通孔３３には、梁受け金物５６を固定するために雌ねじ３３ａが形成される。このようにすると、ボルト５１とコア材５２を用いる場合よりも、四方に接続する梁材２５…のうちの最後の１本の梁材２５の接合が簡単に行え、取り外しも容易である。
【００５１】
この他に、たとえば図１７に示したように、１個の側面接合板３２ｃの保持部としての貫通孔３３を、上側の方が大径となる逆雪だるま形状に形成し、梁材２５の端面から側面接合板３２ｃの厚さ分突出させた係合部材５７の頭部を引っ掛けるようにしてもよい。
【００５２】
図１８は、梁部用の接合金物１１を、１本の梁材の接合のみではなく、２本の梁材を上下に平行に有した特殊な梁パネル２６を接合する場合に用いる例を示している。図中、２６ａは線材２１としての上部梁材、２６ｂは線材２１としての下部梁材、２６ｃは束部材、２６ｄは耐力パネルである。接合金物１１は、図１２に示したものと同一である。
【００５３】
すなわち、柱材２４の上端に第１の接合金物１１を接合した後、この第１の接合金物１１の上に線材２１としての補助柱材２７を接合する。補助柱材２７の上には、第２の接合金物１１を接合してから、各接合金物１１の側面接合板３２ｃに、ボルト５１とコア材５２を用いて梁パネル２６の上部梁材２６ａと下部梁材２６ｃの端面２２を接合する。
【００５４】
（小屋組用の接合金物）  
図１９は、小屋組の一例を示し、線材２１としての棟束２８の上端に、線材２１としての複数本の垂木２９…を接合する小屋組の例を示す縦断面図である。この図に示すように、接合金物１１は、平面視六角形をなす下端接合板３２ｂと、これと相似形状で下端接合板３２ｂよりも大きい蓋板３８と、これらの間に斜めに結合される６枚の側面接合板３２ｃ…で、外郭部３１が形成され、この外郭部３１内には、平行に配設される２枚の隔壁部４２，４２と、これらを貫いて上下に延びて下端接合板３２ｂと蓋板３８を結合する柱状部４３を有する。
【００５５】
下端接合板３２ｂと蓋板３８の中央には、貫通孔３３が形成され、蓋板３８の貫通孔３３には雌ねじ３３ａが形成されている。また、蓋体３８と上側の隔壁部４２における各側面接合板３２ｃ…の部分には切欠による操作口３４…が形成されている。さらに、各側面接合板３２ｃ…にはボルト５１が保持されている。
【００５６】
外郭部３１と内部連結部４１の基本的な構成は同一であるので、同一又は同等の部位については同一の符号を付してその詳しい説明を省略している。
【００５７】
このような小屋組用の接合金物１１は、まず、蓋板３８から下端接合板３２ｂを突き抜ける長さのボルト５８とコア材５２とドリフトピン５３を用いて、接合金物１１の下端接合板３２ｂを棟束２８の上端の端面２２に固定する。次に、六方の側面接合板３２ｃ…に垂木２９…の端面２２を接合する。
【００５８】
なお、ユニットハウスの組み立てのときのように吊り下げるには、上記のボルト５８の頭部に、図１９に仮想線で示したような吊り部５８ａを有するものを使用するとよい。
【００５９】
接合金物１１が上述のように構成されて小屋組の接合に用いられると、接合される棟束２８の端面２２と、６本の垂木２９…の端面２２は、接合金物１１の外郭部３１を構成する接合板３２に突き当たった状態で固定される。このとき、棟束２８と垂木２９…の側面と端面２２とが面接触する、噛み合うような接合状態とはならず、端面２２の縁が当接するような接合となって、端面２２で囲まれる空間内に接合金物１１が埋没する状態となる。このため、線材２１の交換が容易に行え、長期間にわたって使用できる優良な建築物を得ることができる。
【００６０】
しかも、接合金物１１と棟束２８及び垂木２９…の接合は、ボルト５１，５８とコア材５２とドリフトピン５３とによる簡素な構造で接合でき、作業は簡単である。そのうえ、棟束２８や垂木２９…に対する加工も少なくて済み、欠損をなくすことができる。このため、面同士が密に接した強固な固定状態が得られる。
【００６１】
また、外郭部３１の内側には、内部連結部４１が形成されているので、縦横の荷重に耐え得る堅固な構造にでき、頑丈な建築物を得ることができる。
【００６２】
なお、小屋組の種類に応じて線材として棟木と垂木の接合など、様々な場合が考えられ、使用箇所に応じて、外郭部３１および内部連結部４１の形状は適宜設定される。
【００６３】
（異形建築物用の接合金物）  
図２０は、たとえば平面視６角形などの異形建築物を構成するのに用いられる異形建築用の接合金物１１の斜視図であり、図２１は、その接合金物１１を用いた異形建築物の一部破断平面図である。図２１では、梁部の状態を示しているが、柱脚部でも同様である。
【００６４】
これらの図に示すように、外郭部３１は、外側が鈍角に突出し、内側が鈍角に凹む、平面視凹多角形状をなす多面体立体形状に形成され、上端の上端接合板３２ａと下端の下端接合板３２ｂを有し、左右の両側には相互に適宜角度をもって配設された側面接合板３２ｃ，３２ｃを有する。そして、上端接合板３２ａと下端接合板３２ｂの外側と内側には、閉塞板３９ａ，３９ｂが配設されている。これら上端接合板３２ａ、下端接合板３２ｂ、側面接合板３２ｃ，３２ｃ、閉塞板３９ａ，３９ｂで外郭部３１が形成されるとともに、この外郭部３１の内部に、上下２枚の隔壁部４２，４２と、これら隔壁部４２，４２と上端接合板３２ａあるいは下端接合板３２ｂとの間を結合するパイプ状の柱状部４３とからなる内部連結部４１が形成されている。外郭部３１と内部連結部４１の基本的な構成は同一であるので、同一又は同等の部位については同一の符号を付してその詳しい説明を省略している。
【００６５】
接合金物１１が上述のように構成されて異形建築物の梁部や柱脚部の接合に用いられると、接合される各線材２１の端面２２は、接合金物１１の外郭部３１を構成する接合板３２…に突き当たった状態で固定される。このとき、線材２１…の側面と端面２２とが面接触する、噛み合うような接合状態とはならず、端面２２の縁が当接するような接合となって、端面２２で囲まれる空間内に接合金物１１が埋没する状態となる。このため、線材２１の交換が容易に行え、長期間にわたって使用できる優良な建築物を得ることができる。
【００６６】
しかも、接合金物１１と線材２１…の接合は、ボルト５１とコア材５２とドリフトピン５３とによる簡素な構造で接合でき、作業は簡単である。そのうえ、線材２１…に対する加工も少なくて済み、欠損をなくすことができる。このため、面同士が密に接した強固な固定状態が得られる。
【００６７】
また、外郭部３１の内側には、内部連結部４１が形成されているので、縦横の荷重に耐え得る堅固な構造にでき、頑丈な建築物を得ることができる。
【００６８】
そして、この内部連結部４１の存在によって、柱材２４を固定するボルト５１は、２枚の部材の貫通孔３３，４４に保持されることになり、ボルト５１の固定状態は、安定性の高い強固なものとなる。
【００６９】
この発明の構成と上述の一形態の構成との対応において、  
この発明の結合具は、ボルト５１，５８、アンカーボルト５５、係合部材５７に対応し、  
保持部は、貫通孔３３に対応するも、  
この発明は、上記の構成のみに限定されるものではなく、その他の形態を採用することができる。
【００７０】
たとえば、結合具には、貫通孔に挿し込めば嵌め殺しになる係止構造を有したものを用いたりすることもできる。
【図面の簡単な説明】
【００７１】
【図１】接合金物の基本構造を示す斜視図。
【図２】接合金物の基本構造を示す分解斜視図。
【図３】接合金物の基本構造の構造説明図。
【図４】柱脚部用の接合金物による接合状態の縦断面図。
【図５】柱脚部用の接合金物による接合状態の横断面図。
【図６】柱脚部用の接合金物の使用状態を示す斜視図。
【図７】柱脚部用の接合金物の使用状態の他の例を示す斜視図。
【図８】柱脚部用の接合金物の他例を示す縦断面図。
【図９】柱脚部用の接合金物の他例を示す縦断面図。
【図１０】柱脚部用の接合金物の他例を示す縦断面図。
【図１１】梁部用の接合金物による接合状態の斜視図。
【図１２】梁部用の接合金物による接合構造の縦断面図。
【図１３】梁部用の接合金物の使用状態を示す斜視図。
【図１４】梁部用の接合金物の他の使用態様を示す斜視図。
【図１５】梁部用の接合金物の他の例を示す縦断面図。
【図１６】梁部用の接合金物の他の例を示す斜視図。
【図１７】梁部用の接合金物の他の例を示す斜視図。
【図１８】梁部用の接合金物の他の使用例を示す正面図。
【図１９】小屋組用の接合金物を用いた接合構造の縦断面図。
【図２０】異形建築物用の接合金物の斜視図。
【図２１】異形建築物の接合構造を示す一部破断平面図。
【符号の説明】
【００７２】
１１…建築用の接合金物
２１…線材
２２…端面
３１…外郭部
３２…接合板
３３…貫通孔
３４…操作口
４１…内部連結部
４２…隔壁部
４３…柱状部
５１…ボルト
５２…コア材
５５…アンカーボルト
５７…係合部材
５８…ボルト
６１…アジャスタ
【図１】
0005153422.tif 000002
【図２】
0005153422.tif 000003
【図３】
0005153422.tif 000004
【図４】
0005153422.tif 000005
【図５】
0005153422.tif 000006
【図６】
0005153422.tif 000007
【図７】
0005153422.tif 000008
【図８】
0005153422.tif 000009
【図９】
0005153422.tif 000010
【図１０】
0005153422.tif 000011
【図１１】
0005153422.tif 000012
【図１２】
0005153422.tif 000013
【図１３】
0005153422.tif 000014
【図１４】
0005153422.tif 000015
【図１５】
0005153422.tif 000016
【図１６】
0005153422.tif 000017
【図１７】
0005153422.tif 000018
【図１８】
0005153422.tif 000019
【図１９】
0005153422.tif 000020
【図２０】
0005153422.tif 000021
【図２１】
0005153422.tif 000022